(57)【特許請求の範囲】
【請求項１】
第一の通信回線、及び前記第一の通信回線とは種類が異なる第二の通信回線による着信がそれぞれ可能な電話機であって、
表示手段と、操作手段と、制御手段と、を備え、
前記制御手段は、
前記第一の通信回線による第一の通話中に、前記第一の通信回線の相手先の情報と通話中であることを前記表示手段に表示させ、
前記第一の通話中に、前記第二の通信回線による着信があった場合に、前記第二の通信回線による着信中を示す表示を前記表示手段に表示させ、
前記第二の通信回線による着信中に、前記第二の通信回線による通話開始が前記操作手段において操作された場合、前記表示手段において、前記第二の通信回線による着信中を示す表示から当該第二の通信回線による通話中であることを示す表示に切り換えさせ、
前記第一の通話中の前記第二の通信回線による着信による前記第二の通信回線による通話中に、前記第一の通話を保留状態とし、
前記第二の通信回線による通話中に、前記第二の通信回線による通話終了が前記操作手段において操作された場合、前記第一の通信回線による相手先の情報と前記第一の通話が保留中であることを示す表示を前記表示手段に表示させることを特徴とする電話機。
【請求項２】
請求項１に記載の電話機において、
前記第一の通信回線のためのインターフェース手段と、
前記第二の通信回線のためのインターフェース手段と、
を更に備え、
各前記インターフェース手段は、いずれの当該インターフェースを介した着信及び発信も同時に受け付けるように構成されていることを特徴とする電話機。
【請求項３】
請求項１又は請求項２に記載の電話機において、
前記制御手段は、
前記第一の通話の前記保留状態よりも前記第二の通話の方が優先順位が高いことを示す優先順位情報に基づいて、前記第一の通話を前記保留状態とし、
前記優先順位情報に基づいて、前記第一の通話から前記第二の通話への切り換えを行うことを特徴とする電話機。
【請求項４】
請求項１から請求項３のいずれか一項に記載の電話機において、
前記第一の通信回線はインターネット回線であり、第二の通信回線はＰＳＴＮ（Public Switched Telephone Networks）回線であることを特徴とする電話機。
【請求項５】
第一の通信インターフェース、及び前記第一の通信インターフェースとは種類が異なる第二の通信インターフェースによる着信がそれぞれ可能な電話機であって、
表示手段と、操作手段と、制御手段と、を備え、
前記制御手段は、
前記第一の通信インターフェースによる第一の通話中に、前記第一の通信インターフェースの相手先の情報と通話中であることを前記表示手段に表示させ、
前記第一の通話中に、前記第二の通信インターフェースによる着信があった場合に、前記第二の通信インターフェースによる着信中を示す表示を前記表示手段に表示させ、
前記第二の通信インターフェースによる着信中に、前記第二の通信インターフェースによる通話開始が前記操作手段において操作された場合、前記表示手段において、前記第二の通信インターフェースによる着信中を示す表示から当該第二の通信インターフェースによる通話中であることを示す表示に切り換えさせ、
前記第一の通話中の前記第二の通信インターフェースによる着信による前記第二の通信インターフェースによる通話中に、前記第一の通話を保留状態とし、
前記第二の通信インターフェースによる通話中に、前記第二の通信インターフェースによる通話終了が前記操作手段において操作された場合、前記第一の通信インターフェースによる相手先の情報と前記第一の通話が保留中であることを示す表示を前記表示手段に表示させることを特徴とする電話機。
【請求項６】
第一の通信回線、及び前記第一の通信回線とは種類が異なる第二の通信回線による着信がそれぞれ可能な電話機であり、且つ、表示手段と、操作手段と、を備える電話機において実行される電話処理方法であって、
前記第一の通信回線による第一の通話中に、前記第一の通信回線の相手先の情報と通話中であることを前記表示手段に表示させ、
前記第一の通話中に、前記第二の通信回線による着信があった場合に、前記第二の通信回線による着信中を示す表示を前記表示手段に表示させ、
前記第二の通信回線による着信中に、前記第二の通信回線による通話開始が前記操作手段において操作された場合、前記表示手段において、前記第二の通信回線による着信中を示す表示から当該第二の通信回線による通話中であることを示す表示に切り換えさせ、
前記第一の通話中の前記第二の通信回線による着信による前記第二の通信回線による通話中に、前記第一の通話を保留状態とし、
前記第二の通信回線による通話中に、前記第二の通信回線による通話終了が前記操作手段において操作された場合、前記第一の通信回線による相手先の情報と前記第一の通話が保留中であることを示す表示を前記表示手段に表示させることを特徴とする電話処理方法。
【請求項７】
コンピュータを、請求項１から請求項５のいずれか一項に記載の電話機として機能させることを特徴とする電話機用プログラム。
【発明の詳細な説明】
【技術分野】
【０００１】
本願は、電話機、電話処理方法及び電話機用プログラムの技術分野に属し、より詳細には、複数の呼の着信がそれぞれ可能な電話機及び電話処理方法並びに当該電話機に用いられる電話機用プログラムの技術分野に属する。
【背景技術】
【０００２】
近年、パーソナルコンピュータ等を用いることでインターネット等のネットワークを介して複数の相手先と接続し、これら複数の相手先と同時に音声通話又はリアルタイムの画像付の音声通話を行うことが可能な電話システムが普及しつつある（例えば、下記特許文献１参照）。
【０００３】
ここで、当該電話システムにおいては、各相手先毎の音声データ又は画像データは、当該電話システムが準拠すべき通信規格に準拠していわゆるパケット化され、時分割的に各相手先毎に授受されことで、擬似的に複数の相手先との同時通話が可能となっている。
【０００４】
また、当該電話システムにおいては、各通話者は、基本的に例えば１５インチ程度の大きさの表示画面を備える表示装置を含む上記パーソナルコンピュータ等をその通話端末として用いるのであり、当該表示画面上にその時に通話している複数の相手先の画像等を表示しつつ、同時通話を行うことができるように構成されている。
【０００５】
更に、当該同時通話においては、通話をしているときに他の者から着信があった場合には、その通話中の者との通話を一時的に保留して着信した相手に応答する等、多様な使用態様が可能となっている。
【先行技術文献】
【特許文献】
【０００６】
【特許文献１】特開２００３−１６９１６０公報（第１図乃至第４図）
【発明の概要】
【発明が解決しようとする課題】
【０００７】
しかしながら、上記電話システムを利用しようとする者が全て上記パーソナルコンピュータ等を利用できる環境にあるとは限らず、例えば携帯型の端末を用いて上記電話システムに参加しようとする場合、その表示画面の大きさが十分でない場合が多いが、従来の上記電話システムでは、この点に関する配慮が全く為されていなかった。このため、せっかく複数の相手先と同時通話できる環境にあっても、その表示画面が狭いことに起因して、例えば通話している相手先の画像が複数相手先分表示できない等、その利便性が著しく低下するという問題点があった。
【０００８】
そして、この問題点は、近年の装置小型化の趨勢を鑑みると、より深刻な問題となる。
【０００９】
そこで、本願は上記の各問題点に鑑みて為されたもので、その課題の一例は、複数の相手先との同時通話を行う場合でも、効率的に且つ操作性を向上させて当該同時通話を行うことが可能な電話機、電話処理方法及び電話機用プログラムを提供することにある。
【課題を解決するための手段】
【００１０】
上記の課題を解決するために、請求項１に記載の発明は、第一の通信回線、及び前記第一の通信回線とは種類が異なる第二の通信回線による着信がそれぞれ可能な電話機であって、表示部等の表示手段と、キー操作部等の操作手段と、制御部等の制御手段と、を備え、前記制御手段は、前記第一の通信回線による第一の通話中に、前記第一の通信回線の相手先の情報と通話中であることを前記表示手段に表示させ、前記第一の通話中に、前記第二の通信回線による着信があった場合に、前記第二の通信回線による着信中を示す表示を前記表示手段に表示させ、前記第二の通信回線による着信中に、前記第二の通信回線による通話開始が前記操作手段において操作された場合、前記表示手段において、前記第二の通信回線による着信中を示す表示から当該第二の通信回線による通話中であることを示す表示に切り換えさせ、前記第一の通話中の前記第二の通信回線による着信による前記第二の通信回線による通話中に、前記第一の通話を保留状態とし、前記第二の通信回線による通話中に、前記第二の通信回線による通話終了が前記操作手段において操作された場合、前記第一の通信回線による相手先の情報と前記第一の通話が保留中であることを示す表示を前記表示手段に表示させるように構成される。
【００１１】
上記の課題を解決するために、請求項５に記載の発明は、第一の通信インターフェース、及び前記第一の通信インターフェースとは種類が異なる第二の通信インターフェースによる着信がそれぞれ可能な電話機であって、表示部等の表示手段と、キー操作部等の操作手段と、制御部等の制御手段と、を備え、前記制御手段は、前記第一の通信インターフェースによる第一の通話中に、前記第一の通信インターフェースの相手先の情報と通話中であることを前記表示手段に表示させ、前記第一の通話中に、前記第二の通信インターフェースによる着信があった場合に、前記第二の通信インターフェースによる着信中を示す表示を前記表示手段に表示させ、前記第二の通信インターフェースによる着信中に、前記第二の通信インターフェースによる通話開始が前記操作手段において操作された場合、前記表示手段において、前記第二の通信インターフェースによる着信中を示す表示から当該第二の通信インターフェースによる通話中であることを示す表示に切り換えさせ、前記第一の通話中の前記第二の通信インターフェースによる着信による前記第二の通信インターフェースによる通話中に、前記第一の通話を保留状態とし、前記第二の通信インターフェースによる通話中に、前記第二の通信インターフェースによる通話終了が前記操作手段において操作された場合、前記第一の通信インターフェースによる相手先の情報と前記第一の通話が保留中であることを示す表示を前記表示手段に表示させるように構成される。
【００１２】
上記の課題を解決するために、請求項６に記載の発明は、第一の通信回線、及び前記第一の通信回線とは種類が異なる第二の通信回線による着信がそれぞれ可能な電話機であり、且つ、表示部等の表示手段と、キー操作部等の操作手段と、を備える電話機において実行される電話処理方法であって、前記第一の通信回線による第一の通話中に、前記第一の通信回線の相手先の情報と通話中であることを前記表示手段に表示させ、前記第一の通話中に、前記第二の通信回線による着信があった場合に、前記第二の通信回線による着信中を示す表示を前記表示手段に表示させ、前記第二の通信回線による着信中に、前記第二の通信回線による通話開始が前記操作手段において操作された場合、前記表示手段において、前記第二の通信回線による着信中を示す表示から当該第二の通信回線による通話中であることを示す表示に切り換えさせ、前記第一の通話中の前記第二の通信回線による着信による前記第二の通信回線による通話中に、前記第一の通話を保留状態とし、前記第二の通信回線による通話中に、前記第二の通信回線による通話終了が前記操作手段において操作された場合、前記第一の通信回線による相手先の情報と前記第一の通話が保留中であることを示す表示を前記表示手段に表示させるように構成される。
【００１３】
上記の課題を解決するために、請求項７に記載の発明は、コンピュータを、請求項１から請求項５のいずれか一項に記載の電話機として機能させる。
【図面の簡単な説明】
【００１４】
【図１】実施形態に係る電話システムの概要構成を示すブロック図である。
【図２】第１実施形態に係る電話システムの動作を示す図であり、（ａ）はメモリ内の優先順位情報の内容を例示する図であり、（ｂ）は当該動作を示すフローチャートである。
【図３】第１実施形態に係る電話システムの動作を例示する流れ図である。
【図４】第２実施形態に係る電話システムのメモリ内の優先順位情報の内容を例示する図である。
【図５】第２実施形態に係る電話システムの動作を例示する流れ図である。
【発明を実施するための形態】
【００１５】
次に、本願を実施するための最良の形態について、図面に基づいて説明する。なお、以下に説明する実施形態は、インターネット等のネットワークを介した通話と、一般公衆回線（例えば、いわゆるＰＳＴＮ（Public Switched Telephone Networks）回線等の加入電話回線）を介した通話と、が共に可能な電話システムに対して本願を適用した場合の実施の形態である。
【００１６】
（Ｉ）第１実施形態
始めに、本願に係る第１実施形態について、図１乃至図３を用いて説明する。なお、図１は第１実施形態に係る電話システムの概要構成を示すブロック図であり、図２は第１実施形態に係る電話システムの動作を示す図であり、図３は第１実施形態に係る電話システムの動作を例示する流れ図である。
【００１７】
図１に示すように、第１実施形態に係る電話システムＳは、使用者が把持して通話を行う携帯型の子機５０と、当該子機５０に対する充電機能及び台座機能を備えると共に、当該子機５０を外部回線に接続する機能を有する親機１と、上記ネットワークＮＴと当該親機１とを接続する機能を備えるパーソナルコンピュータ等からなる接続装置７０と、により構成されている。
【００１８】
このとき、子機５０は、親機１との無線通信を行うためのアンテナ５１と、送信回路５３及び受信回路５４を備える送受信部５２と、制御手段としての制御部５５と、操作ボタン等を含むキー操作部６０と、アンプ５６及び５７と、マイク５８と、スピーカ５９と、文字や記号等を例えば１１文字２行表示可能な液晶ディスプレイ等からなる表示部６１と、により構成されている。
【００１９】
また、親機１は、子機５０のアンテナ５１との間で無線電波の授受を行うアンテナ１７と、送信回路１５及び受信回路１６を備える送受信部１４と、不揮発性領域及び揮発性領域の双方を含む優先順位情報記憶手段としてのメモリ１３Ａを含む制御手段及び複合通信手段としての制御部１３と、アンプ７乃至１２とクロススイッチ６とを備えるスイッチ部５と、上記一般公衆回線Ｘと接続される回線インターフェース２と、コーデック部４と、ＵＳＢ（Universal Serial Bus）インターフェース３と、により構成されている。
【００２０】
更に、接続装置７０は、上記ＵＳＢインターフェース３と接続されるＵＳＢインターフェース７１と、上記ネットワークＮＴと接続されるインターフェース７２と、接続装置７０としての機能を実行するネットワーク電話機能部７３と、により構成されている。なお、当該接続装置７０の構成において、ネットワーク電話機能部７３は、具体的には、当該接続装置７０としてのパーソナルコンピュータにインストールされている対応プログラムを当該パーソナルコンピュータ内の図示しないＣＰＵ等が実行することにより実現されるものである。
【００２１】
次に、上記構成を備える電話システムＳの全体動作について説明する。
【００２２】
先ず、当該電話システムＳを用いて上記一般公衆回線Ｘを介して通話を行う場合の動作について説明する。
【００２３】
実施形態に係る電話システムＳを用いて一般公衆回線Ｘを介した通話を行う場合、先ず、子機５１のキー操作部６０においてその旨の操作が実行されると、当該操作が為された事を示す操作信号が当該子機５０から親機１に出力され、これにより、親機１の制御部１３がスイッチング部５内のクロススイッチ６を夫々回線インターフェース２側に切り換える。
【００２４】
その後、一般公衆回線Ｘを介して外部から送信されて来た音声信号等は、回線インターフェース２において予め設定された入力インターフェース処理が施され、アンプ７、クロススイッチ６及びアンプ１１を介して送信回路１５に出力される。
【００２５】
そして、送信回路１５は、制御部１３の制御の下、当該音声信号等に対して予め設定された暗号化処理や符号化処理等を施した上で、アンテナ１７及び子機５０のアンテナ５１を介して子機５０の受信回路５４に出力する。
【００２６】
これにより、受信回路５４は、制御部５５の制御の下、出力されて来た音声信号等に対して予め設定された復号処理等を施し、元の音声信号としてアンプ５７を介してスピーカ５９に出力し、当該音声信号に対応する音声として放音させる。
【００２７】
なおこのとき、当該音声信号の送信元の電話番号等は、制御部５５を介して表示部６１上に表示される。
【００２８】
これらに対し、子機５０のマイク５８を介して入力された通話者の音声は、アンプ５６を介して送信回路５３に音声信号として入力され、制御部１３の制御の下、当該送信回路５３において予め設定された暗号化処理や符号化処理等が施された上で、アンテナ５１及び親機１のアンテナ１７を介して親機１の受信回路１６に出力される。
【００２９】
これにより、当該受信回路１６は、制御部１３の制御の下、出力されて来た音声信号に対して予め設定された復号処理等を施し、元の音声信号としてアンプ１２，クロススイッチ６及びアンプ８を介して回線インターフェース２に出力する。
【００３０】
そして、回線インターフェース２は、当該音声信号に対して予め設定された出力インターフェース処理等を施し、一般公衆回線Ｘを介して通話先に送信する。
【００３１】
次に、実施形態に係る電話システムＳを用いてネットワークＮＴを介して通話を行う場合の動作について説明する。
【００３２】
実施形態に係る電話システムＳを用いてネットワークＮＴを介した通話を行う場合、上記一般公衆回線Ｘを介して行う場合と同様に、子機５１のキー操作部６０においてその旨の操作が実行されると、当該操作が為された事を示す操作信号が当該子機５０から親機１に出力され、これにより、親機１の制御部１３がスイッチング部５内のクロススイッチ６を夫々コーデック部４２側に切り換える。
【００３３】
一方、当該ネットワークＮＴを介した通話に供される音声信号等は、当該ネットワークＮＴが準拠すべきデータ伝送規格（より具体的には、例えば当該ネットワークＮＴがインターネットである場合におけるＴＣＰ／ＩＰ（Transmission Control Protocol/Internet Protocol）規格）に則って符号化され且つパケット化された上で接続装置７０のインターフェース７２に入力される。
【００３４】
そして、当該インターフェース７２により予め設定された入力インターフェース処理が施され、ネットワーク電話機能部７３及びＵＳＢインターフェース７１を介して親機１のＵＳＢインターフェース３に出力される。
【００３５】
そして、当該ＵＳＢインターフェース３は、当該パケット内の音声信号等に対して予め設定された入力インターフェース処理を施し、コーデック部４に出力される。
【００３６】
これにより、当該コーデック部４は、制御部１３の制御の下、当該音声信号等に対して上記規格に準拠した復号処理を施し、アンプ９、クロススイッチ６及びアンプ１１を介して送信回路１５に出力する。
【００３７】
そして、送信回路１５は、制御部１３の制御の下、上記一般公衆回線Ｘを介した通話の場合と同様に当該音声信号等に対して予め設定された暗号化処理や符号化処理等を施した上で、アンテナ１７及び子機５０のアンテナ５１を介して子機５０の受信回路５４に出力する。
【００３８】
これにより、受信回路５４は、制御部５５の制御の下、出力されて来た音声信号等に対して予め設定された復号処理等を施し、元の音声信号としてアンプ５７を介してスピーカ５９に出力し、当該音声信号に対応する音声として放音させる。
【００３９】
なおこのとき、当該音声信号の送信元の電話番号等（当該音声信号と共にパケット化されて送信されて来るものである）は、制御部５５を介して表示部６１上に表示される。
【００４０】
一方、子機５０のマイク５８を介して入力された通話者の音声は、上記一般公衆回線Ｘの場合と同様にしてアンテナ５１及び親機１のアンテナ１７を介して親機１の受信回路１６に出力される。
【００４１】
これにより、当該受信回路１６は、制御部１３の制御の下、出力されて来た音声信号に対して予め設定された復号処理等を施し、元の音声信号としてアンプ１２、クロススイッチ６及びアンプ１０を介してコーデック部４に出力する。
【００４２】
これにより、コーデック部４は、制御部１３の制御の下、当該音声信号に対して上記規格に準拠した符号化処理を施し、ＵＳＢインターフェース３及び接続装置７０のＵＳＢインターフェース７１を介してネットワーク電話機能部７３に出力する。
【００４３】
そして、当該ネットワーク電話機能部７３は、出力されてきた音声信号に対して上記規格に準拠した符号化処理及びパケット化処理等を施し、これをインターフェース７２を介してネットワークＮＴに送信し、当該ネットワークＮＴを介して通話先に伝送する。
【００４４】
なお、送信元としての接続装置７０に割り当てられた電話番号等は、通話開始時における上記パケット化処理の際に上記送信信号と共にパケット化され、上記通話先に伝送されることとなる。
【００４５】
次に、第１実施形態に係る通話処理について、具体的に図２及び図３を用いて説明する。
【００４６】
上述した第１実施形態に係る電話システムＳにおいては、従来と同様に、ネットワークＮＴを介した通話中に他の相手先から別の呼が当該ネットワークＮＴを介して着信した場合、それまで通話していた呼を一旦保留状態とした上で新たに着信した呼に対する通話を開始資することが可能とされている。また、上述した保留状態を複数保持しつつ更に新たな呼の着信がネットワークＮＴを介してあった場合でも、その新たな呼に対する応答も可能とされている。
【００４７】
このとき、第１実施形態に係る電話システムＳにおいては、ネットワークＮＴを介した呼の着信が同時並行的に複数あった場合に備え、当該呼の属性（より具体的には、「通話中」の呼、電話システムＳの操作者による「発信操作中」の呼、「着信」中の（すなわち、着信音が鳴動中の）呼、当該操作者によって「保留」とされた呼及び通話の相手先の操作により「保留」とされた呼の五種類の属性）に対応した優先順位が予め設定されており、その優先順位を示す優先順位情報がメモリ１３Ａの不揮発性領域内に記憶されている。
【００４８】
より具体的には、上記した各属性に夫々一対一に対応する優先順位情報８０乃至８４が、図２（ａ）に例示するようにメモリ１３Ａの不揮発性領域内に記憶されている。
【００４９】
このとき、通話中の呼と発信操作中の呼が同時に併存することはあり得ないため、夫々に対応する優先順位情報８０及び８１は、相互に同等且つ他の属性に対して最も高い優先度とされている。
【００５０】
また、着信中の呼に対応する優先順位情報８２内においては、更に細分化された優先順位として、着信中である呼が複数あるとき、夫々に対応する電話システムＳへの着信時刻が早い呼ほど優先度が高い優先順位とされている。
【００５１】
更に、電話システムＳの操作者によって保留とされた呼に対応する優先順位情報８３内において、更に細分化された優先順位として、当該操作者の操作により保留中となっている呼が複数あるとき、当該保留状態に移行した時刻が遅い呼ほど優先度が高い優先順位とされている。
【００５２】
更にまた、通話の相手先の操作により保留とされた呼に対応する優先順位情報８４内において、更に細分化された優先順位として、当該相手先の操作により保留中とされている呼が複数あるとき、当該保留状態に移行した時刻が遅い呼ほど優先度が高い優先順位とされている。
【００５３】
そして、図２（ａ）に例示する優先順位情報８０乃至８４がメモリ１３Ａに記憶されている電話システムＳにおいては、当該電話システムＳに対して新たな呼の着信があった場合や当該電話システムＳにおいて新たな呼の発信操作を実行する場合等においては、図２（ｂ）に示すように、そのときの操作対象となっている夫々の呼の属性が上記五種類の属性のうちのいずれであるかを確認し（ステップＳ１）、その確認された属性に対応する優先順位情報８０乃至８４に基づき当該呼の現段階における優先度を確認し（ステップＳ２）、更にその確認された優先度に応じて表示部６１における表示内容を入れ換えると共に呼の切り換え動作等を実行し（ステップＳ３）、当該切り換えられた呼に対応する処理を実際に実行する（ステップＳ４）。
【００５４】
その後、全ての呼に対する処理が完了したか否かを確認し（ステップＳ５）、当該全ての呼に対する処理が完了しているときは（ステップＳ５；ＹＥＳ）そのまま第１実施形態に係る通話処理を完了し、一方、未処理の（より具体的には、例えば保留中の）呼がまだあるときは（ステップＳ５；ＮＯ）、当該残っている呼に対して上記優先度に応じた処理を行うべく上記ステップＳ１に戻る。
【００５５】
次に、図２（ｂ）に示した動作の具体例について、図３を用いて説明する。なお、図３は、「○×」なる相手先からの呼を保留しつつ「○○」なる相手先と通話を実行しているときに、「××」なる相手先から着信があった場合の処理、並びに当該「××」なる相手先との通話を終了する場合の処理について制御部１３及び５５の動作並びに表示部６１における表示態様の変化を例示するものである。
【００５６】
すなわち、図３に例示するように、「○×」なる相手先からの呼を保留しつつ「○○」なる相手先と通話を実行している場合には、当該「○×」なる相手先の呼が保留状態であることを示す動作情報１００及び当該「○○」なる相手先の呼が通話状態であることを示す動作情報１０１がメモリ１３Ａの揮発性領域内に保持されており、これに伴って、「通話  相手先；○○」なる表示が表示部６１において実行されている。
【００５７】
そして、この状態の時に「××」なる相手先から着信があると、その着信を示す旨のベル音等が図１において図示しないスピーカにおいて鳴動され、これに対応して子機５０を把持して「○○」なる相手先と通話していた操作者はキー操作部６０内の図示しない通話釦を押下する。
【００５８】
この操作により、「××」なる相手先との呼が「通話中」状態となり、これにより図２（ａ）に示した優先順位情報８０及び８３に基づき、当該「××」なる相手先の呼が通話状態であることを示す動作情報１０２が最優先の動作情報として新たにメモリ１３Ａの揮発性領域内に保持され、更にこれに伴って動作状態１０１の内容が「通話中」から「保留中」に変更された上でメモリ１３Ａ内に継続して保持されることとなり、更に「通話  相手先；××」なる表示が表示部６１において新たに実行される。
【００５９】
次に、「××」なる相手先との通話を終了するときは、操作者によりキー操作部６０内の図示しない終了釦が押下され、この操作により「××」なる相手先との呼が切断されると共に上記動作情報１０２がメモリ１３Ａから消去される。そして、図２（ａ）に示した優先順位情報８３に基づき、「○○」なる相手先の呼が保留状態であることを示す動作情報１０１が最優先となってメモリ１３Ａの揮発性領域内に継続して保持され、これに伴って、「保留  相手先；○○」なる表示が表示部６１において新たに実行される。
【００６０】
なお、上記した一連の動作中においては、「○×」なる相手先との呼は、継続して保留されていることとなる。
【００６１】
以上説明したように、第１実施形態に係る電話システムＳにおける通話処理によれば、夫々の呼の属性に基づいて予め設定されている優先順位に則って当該各呼に対する制御を実行するので、異なる属性の呼が同時並行的に制御されることがなく、結果として、複数の呼を用いた同時通信を行う場合でも効率的に且つ操作性を向上させて当該制御を行うことができる。
【００６２】
また、優先順位に基づいて現在制御している呼に対応する動作情報のみを表示部６１に表示するので、例えば小型の子機５０により複数の呼を用いた同時通信を行う場合において、表示部６１としての表示可能文字数が少ない場合でも効率的且つ操作性を向上させて当該通信を行うことができる。
【００６３】
更に、優先順位情報８０として、現在通話中の呼の優先順位が第一番とされているので、現在通話中の呼の状態（例えば、相手先番号等）を的確に把握して当該通話を継続することができる。
【００６４】
更にまた、優先順位情報８１として、現在発信操作中の呼の優先順位が、上記通話中の呼と同等の第一番とされているので、当該発信操作中の呼の状態（例えば、発信電話番号等）を的確に把握して当該通話を継続することができる。
【００６５】
また、抽選順位情報８２として、着信時刻が早い呼ほど優先度が高い優先順位であるので、先に着信した呼から順に応答処理に供させることができることで、発信元を長時間待たせることなく通信を開始又は再開することができる。
【００６６】
更に、優先順位情報８３として、子機５０の操作者の操作によって保留状態に移行した時刻が遅い呼ほど優先度が高い優先順位とされているので、直近に保留状態に移行させた呼からその内容等を迅速に思い出しつつ通信をすることができる。
【００６７】
更にまた、優先順位情報８２及び８３として、着信中である呼の優先度が、操作者の操作により保留中となっている呼の優先度より高いので、呼の確立を優先させて同時通信をすることができる。
【００６８】
また、優先順位情報８４として、相手先の操作により保留状態に移行した時刻が遅い呼ほど優先度が高い優先順位とされているので、直近に保留状態に移行させられた呼からその内容等を迅速に思い出しつつ通信をすることができる。
【００６９】
更に、優先順位情報８２乃至８４として、着信中である呼の優先度＞子機５０の操作者が保留とした呼の優先度＞通信の相手先に保留とされた呼の優先度、とされているので、呼の確立を最優先としつつ、現実の通信／通話態様に即した状態で効率的に同時通信を実現することができる。
【００７０】
（II）第２実施形態
次に、本願に係る他の実施形態である第２実施形態について、図４及び図５を用いて説明する。なお、図４は第２実施形態に係る電話システムのメモリ内の優先順位情報の内容を例示する図であり、図５は第２実施形態に係る電話システムの動作を例示する流れ図である。また、第２実施形態に係る電話システムの構成は、基本的には第１実施形態に係る電話システムＳのものと同一であるので、同一の部材については同一の部材番号を用いて説明し、その細部の説明は省略する。
【００７１】
上述した第１実施形態においては、ネットワークＮＴを介して授受される呼における優先度のみを考慮したが、以下に説明する第２実施形態では、これに加えて、一般公衆回線（以下、適宜ＰＳＴＮ回線と略称する）Ｘを介して授受される呼を含めて優先度を考える。
【００７２】
すなわち、第２実施形態に係る電話システムにおける呼の優先度は、図４に例示するように、ＰＳＴＮ回線Ｘを介して授受される呼の優先度がネットワークＮＴを介して着信中の呼の優先度と子機５０の操作者によって保留とされた呼の優先度の間の優先度とされており、その旨が優先順位情報８５としてメモリ１３Ａの不揮発性領域内に記憶されている。
【００７３】
そして、図４に例示する優先順位情報８０乃至８５を用いて、ネットワークＮＴを介して授受される呼とＰＳＴＮ回線Ｘを介して授受される呼とを併せて通話処理が実行される。
【００７４】
次に、図４に例示する優先順位情報８０乃至８５を用いた通話処理の具体例について、図５を用いて説明する。なお、図５は、「○○」なる相手先と通話を実行しているときに、ＰＳＴＮ回線Ｘを介して着信があった場合の処理、並びにＰＳＴＮ回線Ｘを介した通話を終了する場合の処理について制御部１３及び５５の動作並びに表示部６１における表示態様の変化を例示するものである。
【００７５】
すなわち、図５に例示するように、「○○」なる相手先と通話を実行している場合には、当該「○○」なる相手先の呼が通話状態であることを示す動作情報１００がメモリ１３Ａの揮発性領域内に保持されており、これに伴って、「通話  相手先；○○」なる表示が表示部６１において実行されている。
【００７６】
そして、この状態の時にＰＳＴＮ回線Ｘを介した着信があると、その着信を示す旨のベル音等が上記スピーカにおいて鳴動され、これに対応して子機５０を把持して「○○」なる相手先と通話していた操作者はキー操作部６０内の図示しない終了釦を押下する。
【００７７】
この操作により、「○○」なる相手先との呼が保留状態となり、これにより図４に示した優先順位情報８３及び８５に基づき、ＰＳＴＮ回線Ｘを介した着信があったことを示す動作情報１０３が最優先の動作情報として新たにメモリ１３Ａの揮発性領域内に保持され、更にこれに伴って動作状態１００の内容が「通話中」から「保留中」に変更された上でメモリ１３Ａ内に継続して保持されることとなり、更にＰＳＴＮ回線Ｘからの着信があったことを示す「着信」なる表示が表示部６１において新たに実行される。
【００７８】
そして、この状態で操作者がキー操作部６０内の図示しない通話釦を押下すると、動作状態１０３の内容が「着信中」から「通話中」に変更された上でメモリ１３Ａ内に継続して保持されることとなり、更に表示部６１においてＰＳＴＮ回線Ｘを介した通話の時間等の表示が実行される。
【００７９】
次に、ＰＳＴＮ回線Ｘを介した通話を終了するときは、操作者によりキー操作部６０内の図示しない終了釦が押下され、この操作により当該ＰＳＴＮ回線Ｘを介した通話（呼）が切断されると共に上記動作情報１０３がメモリ１３Ａから消去される。そして、図４に示した優先順位情報８３に基づき、「○○」なる相手先の呼が保留状態であることを示す動作情報１００が最優先となってメモリ１３Ａの揮発性領域内に継続して保持され、これに伴って、「保留  相手先；○○」なる表示が表示部６１において新たに実行される。
【００８０】
以上説明したように、第２実施形態に係る電話システムにおける通話処理によれば、第１実施形態に係る電話システムＳの通話処理による作用効果に加えて、ＰＳＴＮ回線Ｘを介して授受される呼があるとき、着信中のネットワークＮＴを介して授受される呼の優先度が当該ＰＳＴＮ回線Ｘを介して授受される呼の優先度より高く、更に当該ＰＳＴＮ回線Ｘを介して授受される呼の優先度が子機５０の操作者の操作により保留中となっている呼の優先度より高いので、ネットワークＮＴを介して授受される呼と、ＰＳＴＮ回線Ｘを介して授受される呼とがある場合においても、効率的且つ現実の通信態様に即して同時通信を制御することができる。
【００８１】
なお、図２（ｂ）に示すフローチャートに対応するプログラムを、フレキシブルディスク又はハードディスク等の情報記録媒体に記録しておき、又はインターネット等を介して取得して記録しておき、これらを汎用のコンピュータで読み出して実行することにより、当該コンピュータを実施形態に係る制御部１３又は５５として活用することも可能である。
【符号の説明】
【００８２】
１    親機
２    回線インターフェース
３、７１    ＵＳＢインターフェース
４    コーデック部
５    スイッチ部
６    クロススイッチ
１３、５５    制御部
１４、５２    送受信部
１５、５３    送信回路
１６、５４    受信回路
１７、５１    アンテナ
５８    マイク
５９    スピーカ
６０    キー操作部
６１    表示部
７０    接続装置
７２    インターフェース
７３    ネットワーク電話機能部
８０、８１、８２、８３、８４、８５    優先順位情報
１００、１０１、１０２、１０３    動作情報
Ｓ    電話システム
Ｘ    一般公衆回線
ＮＴ    ネットワーク
【図１】
0005505938.tif 000002
【図２】
0005505938.tif 000003
【図３】
0005505938.tif 000004
【図４】
0005505938.tif 000005
【図５】
0005505938.tif 000006